(57)【特許請求の範囲】
【請求項１】
前板、底板、後板、蓋板、そして掩蓋片からなる直方体形状のロール状に巻かれたラップフィルムを収納するラップフィルム用カートンにおいて、前記前板の上辺に、折り返し片を連設し、該折り返し片を前記前板の裏面側に１８０度折り曲げた折り曲げ部の折り曲げ部端辺に部分的に凹部を形成するために、前記前板と前記折り返し片との折れ線において、直線から部分的に外れた部分を設けていることを特徴とするラップフィルム用カートン。
【請求項２】
前記直線から外れた部分が、台形状に分岐して外れた形状、片側に円弧状、弓状に外した形状、波形にした形状、両側に円弧状に分岐して円形、長円形に外した形状であることを特徴とする請求項１に記載のラップフィルム用カートン。
【発明の詳細な説明】
【０００１】
【発明の属する技術分野】
本発明は、食品包装などに用いられるラップフィルムを収納するラップフィルム用カートンの改良に関するものである。
【０００２】
【発明が解決しようとする課題】
食品などを包むのに用いられるラップフィルムは、通常、紙筒にロール状に巻かれた状態で紙製のカートン内に収納されている。そして、ラップフィルムを所望の長さに引き出してカートンの所定位置に取り付けられた金属製等の鋸刃部材で切断して使用している。
【０００３】
従来から使用されている一般的なラップフィルムを収納するラップフィルム用カートンとして、一つには、図６−ａに示すような形状で、このカートンＰは、未使用時には図６−ａに示す如く鋸刃部材Ｈの刃先部分は掩蓋片１５から先の開封片１６で保護され、図６−ｂに示すように開封片１６を切り取り線Ｌで破断して一旦開封し、収納したロール状のラップフィルムＦを引き出す形状となっている。そして、鋸刃部材Ｈの刃先部分は、図６−ｃに示すように露出した状態になっている。
【０００４】
また、もう一つには、図７−ａに示すようなボックスタイプの形状で、このカートンＱは、図７−ａに示すように掩蓋片１５と蓋板１４とが側板１９で連結され、鋸刃部材Ｈは掩蓋片１５の先端内側に取り付けているため、図７−ｂに示すように開封片１６を切り取り線Ｌで破断して開封しても、図７−ｃに示すように鋸刃部材Ｈが立った状態で蓋部に取り付けられた状態で露出せず、中からロール状に巻かれたラップフィルムＦを引き出す形状となっている。
【０００５】
いずれの形状のラップフィルム用カートンにおいても、使用時に中からラップフィルムＦを引き出す際に、収納部の開口部の前板１１の上辺にラップフィルムＦが触れて抵抗感があり、引き出しにくくなることがある。この抵抗感を少なくするために、前板１１の上辺に折り返し片１７を連設し、ラップフィルムＦが接触する部分を板紙の端面ではなく前板１１と折り返し片１７とを１８０度折り曲げて裏面同志を貼り合せて折り曲げ部としている方法をとっている。
しかしながら、この方法によっても、開口部の強度向上と前板１１の上辺でのラップフィルムＦの摩擦抵抗の軽減の効果は認められるものの、ラップフィルムＦを引き出す際の抵抗感を少なくするにはまだ充分なものではないという問題がある。
【０００６】
本発明は、上記のような問題点に鑑みなされたものであり、その目的とするところは、現行の一般的なラップフィルム用カートンの形態を大きく変更することなく、ラップフィルムを引き出す時に、接触する部位のラップフィルムとの摩擦抵抗を低くして、ラップフィルムを引き出しやすくし、より使いやすいラップフィルム用カートンを提供することにある。
【０００７】
【課題を解決するための手段】
上記目的を達成するために、本発明は、前板、底板、後板、蓋板、そして掩蓋片からなる直方体形状のロール状に巻かれたラップフィルムを収納するラップフィルム用カートンにおいて、前記前板の上辺に、折り返し片を連設し、該折り返し片を前記前板の裏面側に１８０度折り曲げた折り曲げ部の折り曲げ部端辺に部分的に凹部を形成するために、前記前板と前記折り返し片との折れ線において、直線から部分的に外れた部分を設けていることを特徴としている。そして、直線から部分的に外れた部分が、台形状に分岐して外れた形状、片側に円弧状、弓状に外した形状、波形にした形状、両側に円弧状に分岐して円形、長円形に外した形状であることを特徴としている。
【０００８】
本発明のラップフィルム用カートンによれば、前板と折り返し片とを１８０度折り曲げた折り曲げ部の折り曲げ部端辺に凹部を設けるという現行の一般的なラップフィルム用カートンの形態を大きく変更することなく、ラップフィルムを引き出す時に、接触する部位のラップフィルムとの摩擦抵抗を低くして、ラップフィルムを引き出しやすくし、より使いやすいラップフィルム用カートンを得ることができる。
【０００９】
【発明の実施の形態】
図１と図３に、ラップフィルムの切断刃の形と取り付け位置とが異なるラップフィルム用カートンの代表的な例をあげ、それぞれについて前板と折り返し片とを１８０度折り曲げた折り曲げ部の折り曲げ部端辺Ｔに部分的に凹部Ｕを設けた形状とし、その結果、ラップフィルムを引き出す時に、接触する部位のラップフィルムとの摩擦抵抗を低くして、ラップフィルムを引き出しやすくし、より使いやすいラップフィルム用カートンとしている。
【００１０】
図１は、本発明によるラップフィルム用カートンの第一の実施の形態を示す斜視図であり、開封した時の状態を示している。図２は、この第一の形態のラップフィルム用カートンのブランクの展開図を示している。図３は、本発明に係るラップフィルム用カートンの前板と折り返し片との折れ線に設ける直線から外れた部分の例を示す部分拡大図である。図４は、本発明によるラップフィルム用カートンの第二の実施の形態を示す斜視図であり、開封した時の状態を示している。図５は、この第二の形態のラップフィルム用カートンのブランクの展開図を示している。図６は、従来のラップフィルム用カートンの一例を示す斜視図である。図７は、従来のラップフィルム用カートンの他の例を示す斜視図である。
なお、各図面において、同一の部位については、同一の符号を付与している。
【００１１】
図１に示すように、このラップフィルム用カートンＡの特徴は、鋸刃状のフィルム切断刃Ｈが、直線状であり、その取り付け位置は、掩蓋片１５に設けた直線状の切り取り線Ｌの先の開封片１６を剥離し、取り除いた際、刃先が僅かに突き出るように、掩蓋片１５の裏面に、切り取り線Ｌに掛かるように取り付けらている。また、前板１１の上辺では、前板１１に折り返し片１７を連設し、その折り返し片１７を１８０度折り曲げている（この部分は図では隠れている）。さらに、折り曲げた折り曲げ部の折り曲げ部端辺Ｔには、複数ヶ所に凹部Ｕを設けている（本例では４ヶ所）。
【００１２】
なお、図１に示したラップフィルム用カートンＡは、ラップフィルム用カートンＡの開封後の状態を示しているため、図２に示した掩蓋片１５に設けた切り取り線Ｌより先の部分は開封片１６でもあり、開封に際して剥離、除去されており表示されていない。
【００１３】
図２は、先に説明した図１の本発明の第一の実施の形態であるラップフィルム用カートンＡのブランクの展開図である。ラップフィルム用カートンＡのブランク１０Ａは、折れ線ａ、ｂ、ｃを介して連設された前板１１、底板１２、後板１３および蓋板１４を有しており、蓋板１４の側縁には折れ線ｄを介して掩蓋片１５が連設されている。また、前板１１の側縁には折れ線ｅを介して折り返し片１７が連設されている。
【００１４】
本発明のラップフィルム用カートンＡでは、この前板１１と折り返し片１７との折れ線ｅ上に折り曲げた時に、折り曲げ部端辺Ｔに凹部Ｕを形成するために、折れ線ｅ上に直線の折れ線ｅからそれぞれ台形状に分岐して外れた部分Ｅを設けている（本例では４ヶ所）。そして、この部分が前板１１と折り返し片１７を折り曲げた時に、折り曲げ部端辺Ｔに凹部Ｕを形成する。
【００１５】
この外れた部分Ｅの形状は、本例では、折れ線ｅが両側に分岐して６角形の部分を形成する形状としている。本例以外の形状としては、図３−ａに示すような片側に円弧状、弓状などに外した形状、図３−ｂに示すような波形にした形状、図３−ｃに示すような両側に円弧状に分岐して円形、長円形などとすることができる。
【００１６】
掩蓋片１５には、切り取り線Ｌを介して開封片１６が連設されている。この開封片１６は前記切り取り線Ｌにより切り離し可能である。この切り取り線Ｌは、ミシン目、リード罫など切り取り易い形で形成する。また、開封片１６には長手方向に沿って等間隔に同じ向きの半円状の切り込み２３が複数個形成されている。
【００１７】
また、前板１１の両側辺には、折れ線ｆ、ｆを介してそれぞれ第一側片１８、１８連設され、底板１２の両側辺には、折れ線ｇ、ｇを介してそれぞれ側板１９、１９が連設され、後板１３の両側辺には、折れ線ｈ、ｈを介してそれぞれ第二側片２０、２０が連設され、蓋板１４の両側辺には、折れ線ｉ、ｉを介してそれぞれ側蓋板２１、２１が連設され、そして、掩蓋片１５の両側辺には、折れ線ｊ、ｊを介してそれぞれ側蓋片２２、２２が連設されている。ここで、側板１９、１９の長さは前板１１および後板１３の幅と略同寸とされ、第一側片１８、１８、第二側片２０、２０の長さは側板１９、１９より短くされている。また、側蓋板２１、２１の長さは、側板１９、１９の長さの略半分とされ、また、側蓋片２２、２２の長さは蓋板１４の幅より短くされている。
【００１８】
また、前板１１の表面には、図２に示すように、ラップフィルム用カートンＡに形成された時に開封片１６の半円状の切り込み２３と接触する位置に該切り込み２３と同径の円形の半切れ部２４を設けている。
【００１９】
このラップフィルム用カートンＡには、紙筒にロール状に巻かれたラップフィルムが収納される。このラップフィルムは、例えば塩化ビニリデン系、塩化ビニール系、ポリエチレン系、ポリプロピレン系、ナイロン系、ポリメチルペンテン系等の合成樹脂フィルムである。
【００２０】
なお、本発明は、実施例で示したような直線状の鋸刃部材のみならず、中央部がＶ字状に突出したいわゆるＶ字形状の鋸刃部材が取り付けられたカートンにも適用することができる。
【００２１】
図４は、本発明のラップフィルム用カートンの第二の実施の形態を示す斜視図である。このラップフィルム用カートンＢにおいて、フィルム切断刃Ｈは、ラップフィルム用カートンＢが組立てられた時に、鋸刃状の切断刃Ｈの刃先がラップフィルム用カートンＢの底板１２から僅かに前方、即ち、前板１１側に突き出るように、底板１２の表面に取り付けられている。また、前板１１の上辺では、前板１１に折り返し片１７を連設し、その折り返し片１７を１８０度折り曲げている。（この部分は図では隠れている）さらに、折り曲げた折り曲げ部の折り曲げ部端辺Ｔには、複数ヶ所に凹部Ｕを設けている（本例では４ヶ所）。
【００２２】
図５は、先に説明した図４の本発明の第二の実施の形態であるラップフィルム用カートンＢのブランクの展開図である。ラップフィルム用カートンＢのブランク１０Ｂは、折れ線ａ、ｂ、ｃを介して連設された前板１１、底板１２、後板１３および蓋板１４を有しており、蓋板１４の側縁には折れ線ｄを介して掩蓋片１５が連設されている。また、前板１１の側縁には折れ線ｅを介して折り返し片１７が連設されている。
【００２３】
本発明のラップフィルム用カートンＢでは、この前板１１と折り返し片１７の折れ線ｅ上に折り曲げた時に、折り曲げ部端辺Ｔに凹部Ｕを形成するために、折れ線ｅ上に直線の折れ線ｅから弓状に片側に外れた部分Ｅを設けている（本例では４ヶ所）。そして、この部分が前板１１と折り返し片１７を折り曲げた時に、折り曲げ部端辺Ｔに凹部Ｕを形成する。
【００２４】
【発明の効果】
以上説明したように、本発明のラップフィルム用カートンでは、前板と折り返し片とを１８０度折り曲げた折り曲げ部の折り曲げ部端辺に部分的に数ヶ所凹部を設けることによって、現行の一般的なラップフィルム用カートンの形態を大きく変更することなく、ラップフィルムを引き出す時に、接触する部位のラップフィルムとの摩擦抵抗を低くして、ラップフィルムを引き出しやすくし、より使いやすいという効果を有するものである。
【図面の簡単な説明】
【図１】本発明に係るラップフィルム用カートンの第一の形態の一実施例を示す斜視図である。
【図２】本発明に係るラップフィルム用カートンの第一の形態の一実施例のブランクを示す展開図である。
【図３】本発明に係るラップフィルム用カートンの前板と折り返し片との折れ線に設ける直線から外れた部分の例を示す部分拡大図である。
【図４】本発明に係るラップフィルム用カートンの第二の形態の一実施例を示す斜視図である。
【図５】本発明に係るラップフィルム用カートンの第二の形態の一実施例のブランクを示す展開図である。
【図６】従来のラップフィルム用カートンの一例を示す斜視図である。
【図７】従来のラップフィルム用カートンの他の例を示す斜視図である。
【符号の説明】
Ａ    ラップフィルム用カートン（第一の実施の形態）
Ｂ    ラップフィルム用カートン（第二の実施の形態）
１０    ブランク
１１    前板
１２    底板
１３    後板
１４    蓋板
１５    掩蓋片
１６    開封片
１７    折り返し片
１８    第一側片
１９    側板
２０    第二側片
２１    側蓋板
２２    側蓋片
２３    切り込み
２４    半切れ部
２５    摘み部
Ｆ    ラップフィルム
Ｌ    切り取り線
Ｔ    折り曲げ部
Ｕ    凹部
ａ〜ｊ  折れ線
Ｅ    外れた部分（折れ線ｅ上の）
【図１】
0004028244.tif 000002
【図２】
0004028244.tif 000003
【図３】
0004028244.tif 000004
【図４】
0004028244.tif 000005
【図５】
0004028244.tif 000006
【図６】
0004028244.tif 000007
【図７】
0004028244.tif 000008